(57)【要約】【課題】低コストでありながら、什器の天板面に向かって作業を行う使用者に対して空調を効率的に機能させることができる天板付什器および什器システムを提供する。【解決手段】床下から調和空気Ａが導入される供給ダクト１１と、供給ダクト１１と一体に構成される什器本体２０（又はダクトと別体の天板付什器）と、を備え、供給ダクト１１は、什器本体２０の天板よりも下方に位置し、天板下方の空間２１ｋ１に向けて調和空気Ａを供給可能な下部供給口１２ａ，１２ｂと、什器本体２０の天板よりも上方に位置し、天板上方の空間２１ｋ２に向けて調和空気Ａを供給可能な上部供給口１３ａ，１３ｂと、下部供給口１２ａ，１２ｂから天板下方の空間２１ｋ１に向けて調和空気Ａを供給する第一態様と、上部供給口１３ａ，１３ｂから天板上方の空間２１ｋ２に向けて調和空気Ａを供給する第二態様と、に調節可能な調節部材１１ｃと、を備えている。【選択図】図３
2019000330.tif 000002
【特許請求の範囲】
【請求項１】
室内空調の調和空気が導入される供給ダクトと、
天板を有し、前記供給ダクトと一体に構成される什器本体と、を備え、
前記供給ダクトは、前記什器本体の天板よりも下方に位置し、天板下方の空間に向けて調和空気を供給可能な下部供給口と、
前記什器本体の天板よりも上方に位置し、天板上方の空間に向けて調和空気を供給可能な上部供給口と、
前記下部供給口から前記天板下方の空間に向けて調和空気を供給し、前記上部供給口から前記天板上方の空間への調和空気の供給量は前記天板下方の空間への供給量より減らした第一態様と、前記上部供給口から前記天板上方の空間に向けて調和空気を供給し、前記下部供給口から前記天板下方の空間への調和空気の供給量は前記天板上方の空間への供給量より減らした第二態様と、に調節可能な調節部材と、を備えている、天板付什器。
【請求項２】
前記供給ダクトは、床面上に設置され、床下から調和空気が導入される、請求項１に記載の天板付什器。
【請求項３】
前記調節部材は、前記下部供給口に設けられ、前記天板下方の空間に向けた調和空気の供給量を調節する下部供給量調節部材と、
前記上部供給口に設けられ、前記天板上方の空間に向けた調和空気の供給量を調節する上部供給量調節部材と、を備えている、請求項１又は２に記載の天板付什器。
【請求項４】
前記上部供給量調節部材は、前記上部供給口に至った調和空気を、水平方向または水平方向よりも下向きの傾斜方向に向けて導いて前記天板上方の空間へ供給する側方誘導状態と、前記側方誘導状態よりも前記天板上方の空間への調和空気の供給量を減らすとともに、前記上部供給口に至った調和空気の一部または全部を、前記天板上方の空間を避けてダクト上方に向けて導く上方誘導状態と、の間で作動する、請求項３に記載の天板付什器。
【請求項５】
前記上部供給量調節部材は、前記側方誘導状態にあるときの調和空気の風量よりも、前記上方誘導状態にあるときの調和空気の風量を減らす、請求項４に記載の天板付什器。
【請求項６】
前記下部供給量調節部材は、前記下部供給口の開口面積を調節する、請求項３から５の何れか一項に記載の天板付什器。
【請求項７】
前記天板よりも下方に配設される下部構造体と、前記天板よりも上方に配設される上部構造体と、を備え、
前記上部構造体および下部構造体は、上下方向で互いに連なるように設けられ、
前記供給ダクトは、前記上部構造体および下部構造体の両内部に渡って設けられている、請求項１から６の何れか一項に記載の天板付什器。
【請求項８】
前記上部構造体および下部構造体は、当該天板付什器の奥行方向の中間位置に配設され、
前記天板は、前記奥行方向で前記上部構造体および下部構造体の両側に配設された第一天板および第二天板を備え、
前記上部供給口は、前記奥行方向で前記供給ダクトの両側に設けられ、前記第一天板および第二天板の各天板上方の空間に向けて調和空気を供給する第一上部供給口および第二上部供給口を備え、
前記下部供給口は、前記奥行方向で前記供給ダクトの両側に設けられ、前記第一天板および第二天板の各天板下方の空間に向けて調和空気を供給する第一下部供給口および第二下部供給口を備えている、請求項７に記載の天板付什器。
【請求項９】
前記上部構造体は、前記第一天板および第二天板の間を区画する間仕切り部材とされている、請求項８に記載の天板付什器。
【請求項１０】
室内空調の調和空気が導入される供給ダクトと、
天板を有し、前記供給ダクトとともに床面上に配置される天板付什器と、を備え、
前記供給ダクトは、前記天板付什器の天板よりも下方に位置し、天板下方の空間に向けて調和空気を供給可能な下部供給口と、
前記天板付什器の天板よりも上方に位置し、天板上方の空間に向けて調和空気を供給可能な上部供給口と、
前記下部供給口から前記天板下方の空間に向けて調和空気を供給し、前記上部供給口から前記天板上方の空間への調和空気の供給量は前記天板下方の空間への供給量より減らした第一態様と、前記上部供給口から前記天板上方の空間に向けて調和空気を供給し、前記下部供給口から前記天板下方の空間への調和空気の供給量は前記天板上方の空間への供給量より減らした第二態様と、に調節可能な調節部材と、を備えている、什器システム。
【発明の詳細な説明】
【技術分野】
【０００１】
本発明は、天板付什器および什器システムに関する。
【背景技術】
【０００２】
オフィスや公共施設等の執務空間においては、執務者が効率的に執務を行うことができるようにするため、温度、湿度、照度、騒音、什器等の執務空間内環境を好適に設定することが求められている。特に温度（室温）は、執務者が最も直接的に感じやすい指標の一つであるため、重要な要素となっている。
近年のオフィスや公共施設等においては、空調機器を天井に組み込んだり、個別に設置したりすることによって、執務空間全体の温度を調節する方法が一般的となっている。しかしながら、この方法の場合、空調機器の吹出し口が設置された周辺の席で執務を行う執務者と、空調機器の吹出し口から離間した席で執務を行う執務者とで、空調の効き具合にバラツキが生じてしまうという問題を有していた。また、熱がりや寒がりといった使用者の好みや体調等に応じた空調環境とすることが難しかった。
【０００３】
こうした問題を鑑み、執務者が使用する什器（デスク）に個別空調を設置する方法が採用されることがある（例えば特許文献１参照）。この方法を採用することによって、執務者に対して個別に空調を効かせることが可能となり、着座した席による空調具合のバラツキを防止することができる。また、室内全体の温度設定を変えることなく、熱がりや寒がりといった使用者の好みに対応しやすくなり、好みの違う使用者を同一室内に共存しやすくすることができる。しかし、この方式は、各座席に送風するための動力が大きくなり、エネルギ効率が悪く、設備コストも高いものである。
そこで、一括管理された空調機から引き込まれる調和空気を什器内に導引し、什器内に設けられたダクトを介して執務者の各席に分配し、什器に設けた吹出し口から噴出させることによって、執務者に対して個別に空調を効かせる方法も提案されている（例えば特許文献２参照）。この方法によれば、低コストでありながら、着座した席による空調具合のバラツキを防止することができる。
【先行技術文献】
【特許文献】
【０００４】
【特許文献１】実開平１−９７１２３号公報
【特許文献２】実開平４−５１２４０号公報
【発明の概要】
【発明が解決しようとする課題】
【０００５】
しかしながら、これらの方法においては、温度による空気の特性に関わらず、什器に設けた同一の吹出し口から一定の方向に向かって空気を噴出させる構造となっている。このため、噴出される空気の温度によっては、什器（デスク）の天板面に向かって作業を行う使用者に対して空調を効率的に機能させることができないという問題を有していた。また、空調を効率的に機能させるために、使用者の座る位置が吹出し口の位置に応じて決定されてしまうという問題を有していた。
本願発明は、上記の技術的課題に鑑みてなされたもので、低コストでありながら、什器の天板面に向かって作業を行う使用者に対して空調を効率的に機能させることができる天板付什器および什器システムを提供することを目的とする。
【課題を解決するための手段】
【０００６】
上記課題の解決手段として、本発明は、室内空調の調和空気が導入される供給ダクトと、天板を有し、前記供給ダクトと一体に構成される什器本体と、を備え、前記供給ダクトは、前記什器本体の天板よりも下方に位置し、天板下方の空間に向けて調和空気を供給可能な下部供給口と、前記什器本体の天板よりも上方に位置し、天板上方の空間に向けて調和空気を供給可能な上部供給口と、前記下部供給口から前記天板下方の空間に向けて調和空気を供給し、前記上部供給口から前記天板上方の空間への調和空気の供給量は前記天板下方の空間への供給量より減らした第一態様と、前記上部供給口から前記天板上方の空間に向けて調和空気を供給し、前記下部供給口から前記天板下方の空間への調和空気の供給量は前記天板上方の空間への供給量より減らした第二態様と、に調節可能な調節部材と、を備えている天板付什器を提供する。
この構成によれば、天板に向き合う使用者に対し、空調を効率的に機能させることができる。すなわち、天板を挟んだ上下の空間において、上部供給口および下部供給口の各々から冷暖房の調和空気を選択的に供給することで、使用者の好みや体調等に応じた空調環境とすることができる。したがって、低コストでありながら、什器の天板面に向かって作業を行う使用者に対して空調を効率的に機能させることができる天板付什器を提供することができる。
【０００７】
上記天板付什器において、前記供給ダクトは、床面上に設置され、床下から調和空気が導入される構成でもよい。
この場合、床面上に設置される供給ダクトに床下から直接的に調和空気が導入されるので、供給ダクトと設備空調とを別途のダクト等で連結することが不要であり、空調システムを簡素化するとともに什器レイアウトの自由度を高めることができる。
【０００８】
上記天板付什器において、前記調節部材は、前記下部供給口に設けられ、前記天板下方の空間に向けた調和空気の供給量を調節する下部供給量調節部材と、前記上部供給口に設けられ、前記天板上方の空間に向けた調和空気の供給量を調節する上部供給量調節部材と、を備えている構成でもよい。
この場合、上部供給口および下部供給口の各々から供給される調和空気の供給量（風量、吹出し量）を、上部供給口および下部供給口の各々で個別に調節可能とすることで、使用者の好みや体調等に応じて個別に調節した空調環境とすることができる。
【０００９】
上記天板付什器において、前記上部供給量調節部材は、前記上部供給口に至った調和空気を、水平方向または水平方向よりも下向きの傾斜方向に向けて導いて前記天板上方の空間へ供給する側方誘導状態と、前記側方誘導状態よりも前記天板上方の空間への調和空気の供給量を減らすとともに、前記上部供給口に至った調和空気の一部または全部を、前記天板上方の空間を避けてダクト上方に向けて導く上方誘導状態と、の間で作動する構成でもよい。
この場合、上部供給口から供給される調和空気を使用者が欲しているときは、上部供給量調節部材を側方誘導状態とし、調和空気を水平方向または下向きの傾斜方向に導いて天板上方の空間に供給することで、使用者に対して直接的に調和空気を供給することができる。
また、上部供給口から供給される調和空気を使用者が欲していないときは、上部供給量調節部材を上方誘導状態とし、調和空気を天板上方の空間を避けてダクト上方に導くことで、調和空気を室内空間全体の温度調節に供することができる。
【００１０】
上記天板付什器において、前記上部供給量調節部材は、前記側方誘導状態にあるときの調和空気の風量よりも、前記上方誘導状態にあるときの調和空気の風量を減らす構成でもよい。
この場合、例えば、下部供給口から供給される調和空気を使用者が欲するときは、上部供給量調節部材を上方誘導状態とし、上部供給口からの調和空気の風量を減少させることで、下部供給口からの調和空気の供給量を増加させることができる。
また、上部供給口から供給される調和空気を使用者が欲するときは、上部供給量調節部材を側方誘導状態とし、上部供給口からの調和空気の供給量を増加させることで、上部供給口から多くの調和空気を使用者に供給することができる。
【００１１】
上記天板付什器において、前記下部供給量調節部材は、前記下部供給口の開口面積を調節する構成でもよい。
この場合、下部供給口から供給される調和空気を使用者が欲するときは、下部供給口の開口面積を広げることで、下部供給口からの調和空気の供給量を増加させることができる。
また、下部供給口から供給される調和空気を使用者が欲していないときは、下部供給口の開口面積を狭めることで、下部供給口からの調和空気の供給量を減少させることができる。
特に、上部供給口の調和空気の供給量を増減させる構成を有していれば、上部供給口の風量の増減と下部供給口の開口面積の増減とを連係させることで、より明確に下部供給口からの調和空気の供給量を増減させることができる。
【００１２】
上記天板付什器において、前記天板よりも下方に配設される下部構造体と、前記天板よりも上方に配設される上部構造体と、を備え、前記上部構造体および下部構造体は、上下方向で互いに連なるように設けられ、前記供給ダクトは、前記上部構造体および下部構造体の両内部に渡って設けられている構成でもよい。
この場合、上下に連なる上部構造体および下部構造体の両内部に渡って供給ダクトが設けられているので、供給ダクトの構造体としての構成を上部構造体および下部構造体で担うことができ、構造を簡易化して製造コストの削減を図ることができる。
【００１３】
上記天板付什器において、前記上部構造体および下部構造体は、当該天板付什器の奥行方向の中間位置に配設され、前記天板は、前記奥行方向で前記上部構造体および下部構造体の両側に配設された第一天板および第二天板を備え、前記上部供給口は、前記奥行方向で前記供給ダクトの両側に設けられ、前記第一天板および第二天板の各天板上方の空間に向けて調和空気を供給する第一上部供給口および第二上部供給口を備え、前記下部供給口は、前記奥行方向で前記供給ダクトの両側に設けられ、前記第一天板および第二天板の各天板下方の空間に向けて調和空気を供給する第一下部供給口および第二下部供給口を備えている構成でもよい。
この場合、奥行方向両側の第一天板および第二天板にそれぞれ向き合う両使用者に対し、それぞれ個別に調節した空調環境を提供可能とし、空調を効率的に機能させることができる。
【００１４】
上記天板付什器において、前記上部構造体は、前記第一天板および第二天板の間を区画する間仕切り部材とされている構成でもよい。
この場合、奥行方向両側の第一天板および第二天板にそれぞれ向き合う両使用者に対し、それぞれ個別に調節した空調環境が互いに影響し合うことを抑止し、空調を効率的に機能させることができる。
【００１５】
また、本発明は、室内空調の調和空気が導入される供給ダクトと、天板を有し、前記供給ダクトとともに床面上に配置される天板付什器と、を備え、前記供給ダクトは、前記天板付什器の天板よりも下方に位置し、天板下方の空間に向けて調和空気を供給可能な下部供給口と、前記天板付什器の天板よりも上方に位置し、天板上方の空間に向けて調和空気を供給可能な上部供給口と、前記下部供給口から前記天板下方の空間に向けて調和空気を供給し、前記上部供給口から前記天板上方の空間への調和空気の供給量は前記天板下方の空間への供給量より減らした第一態様と、前記上部供給口から前記天板上方の空間に向けて調和空気を供給し、前記下部供給口から前記天板下方の空間への調和空気の供給量は前記天板上方の空間への供給量より減らした第二態様と、に調節可能な調節部材と、を備えている什器システムを提供する。
この構成においても、天板に向き合う使用者に対し、空調を効率的に機能させることができる。すなわち、天板を挟んだ上下の空間において、上部供給口および下部供給口の各々から冷暖房の調和空気を選択的に供給することで、使用者の好みや体調等に応じた空調環境とすることができる。したがって、低コストでありながら、什器の天板面に向かって作業を行う使用者に対して空調を効率的に機能させることができる什器システムを提供することができる。
【発明の効果】
【００１６】
本発明によれば、低コストでありながら、什器の天板面に向かって作業を行う使用者に対して空調を効率的に機能させることができる天板付什器および什器システムを提供することができる。
【図面の簡単な説明】
【００１７】
【図１】第一実施形態における天板付什器および什器システムの斜視図である。
【図２】上記天板付什器および什器システムの正面図である。
【図３】図２のＩＩＩ−ＩＩＩ断面図である。
【図４】上記天板付什器および什器システムの第一の作用を示す図３に相当する断面図である。
【図５】上記天板付什器および什器システムの第二の作用を示す図３に相当する断面図である。
【図６】図２における吹出しフィンが側方誘導状態にあるときの拡大図である。
【図７】図２における吹出しフィンが第二側方誘導状態にあるときの拡大図である。
【図８】図２における吹出しフィンが上方誘導状態にあるときの拡大図である。
【図９】供給ダクト内のセパレータの斜視図である。
【図１０】供給ダクトとフロアパネルとの関係を示す斜視図である。
【図１１】第二実施形態における天板付什器および什器システムの図２に相当する断面図である。
【図１２】第三実施形態における天板付什器および什器システムの図２に相当する断面図である。
【発明を実施するための形態】
【００１８】
以下、本発明の実施形態について図面を参照して説明する。なお、図中適所には、什器の幅方向を示す矢印Ｘ、什器の奥行方向を示す矢印Ｙ、什器の上下方向を示す矢印Ｚが示されている。
【００１９】
＜第一実施形態＞
図１〜図３に示すように、天板付什器１０は、床面Ｆ上の規定位置に設置され、床下を流れる調和空気Ａが導入される供給ダクト１１と、天板２１を有し、供給ダクト１１と一体に構成される什器本体２０と、を備えている。天板付什器１０は、調和空気Ａを導く供給ダクト１１を含んで什器システム１００を構成している。
【００２０】
図１を参照し、本実施形態の天板付什器１０の天板２１は、複数（例えば四つ）の単位天板２１ａを備えている。複数の単位天板２１ａは、幅方向に一対、奥行方向に一対ずつ突き合わせて連結されている。天板付什器１０は、複数人（四人）の使用者（執務者）Ｐが各単位天板２１ａに奥行方向の外側から内側を向いて着座し、任意の執務や作業を行うことを可能とする。天板付什器１０は、奥行方向で使用者Ｐが対面して使用する構成である。天板付什器１０は、複数のデスクを幅方向および奥行方向に並べて連結した連結机である。天板付什器１０は、例えばオフィスや病院等の執務室、並びに各種作業場といった部屋Ｒの床面Ｆ上の規定位置に、固定状態で設置される。
【００２１】
図２、図３を参照し、部屋Ｒは、コンクリートスラブ等の基礎床ｓｂと、床面Ｆを形成する床パネルｆｐとの間に、所定の上下幅の空間部Ｋを形成した二重床構造を採用している。二重床構造は、基礎床ｓｂ上に不図示の支持脚を設置し、この支持脚上に矩形状の単位床パネルｆｐａ（図１０参照）を縦横に複数並べて床パネルｆｐとすることで、基礎床ｓｂと床パネルｆｐとの間に空間部Ｋを形成している。空間部Ｋは、設備配管や配線等を収容する他、床吹出し空調システムの調和空気Ａの流路として用いられる。
【００２２】
図１〜図３を参照し、天板付什器１０は、天板２１の幅方向の両側に配置される一対のエンド脚２２と、一対のエンド脚２２の間で天板２１の幅方向および奥行方向の中間位置に配置される中間脚２３と、を備えている。
各エンド脚２２は、幅方向と直交する板状をなし、天板２１の側縁部を下方から支持している。一対のエンド脚２２の間には、天板２１の奥行方向の中間部の下面に沿って幅方向に延びるビーム２４が架設されている。
【００２３】
ビーム２４は、一対のエンド脚２２の上部間を連結するとともに、天板２１の奥行方向の中間部を下方から支持している。ビーム２４は、天板２１の下方に挿通された配線を受ける配線受け部としても機能する。図中符号ｋ１はビーム内側の配線受け空間を示す。
中間脚２３は、中空の角柱状をなして上下に延び、ビーム２４の幅方向中間部を下方から支持している。
【００２４】
天板付什器１０において、各単位天板２１ａに対応する着座位置（作業位置）Ｔの幅方向の中間位置には、第二中間脚２５を備えている。第二中間脚２５は、天板２１の奥行方向の中間位置、換言すれば各単位天板２１ａの奥側（奥行方向で使用者（着座者）Ｐと反対側）に設けられている。第二中間脚２５は、中間脚２３と同様、中空の角柱状をなして上下に延び、ビーム２４の対応部位を下方から支持している。
【００２５】
以下、奥行方向で向かい合う着座位置Ｔを第一着座位置Ｔ１および第二着座位置Ｔ２とする。また、第一着座位置Ｔ１側の単位天板２１ａを第一天板２１ａ１、第二着座位置Ｔ２側の単位天板２１ａを第二天板２１ａ２とする。また、第二中間脚２５の第一着座位置Ｔ１側の側壁を第一側壁２５ａ、第二着座位置Ｔ２側の側壁を第二側壁２５ｂとする。
【００２６】
第二中間脚２５は、天板付什器１０における天板２１よりも下方に配設される下部構造体２６を構成している。下部構造体２６は、床面Ｆ上の規定位置に載置されて天板２１を支持している。
【００２７】
天板付什器１０は、天板２１の奥行方向の中間部の上方に起立するデスクトップパネル２７を備えている。デスクトップパネル２７は、奥行方向で対面する着座者Ｐの前方視界を遮るように設けられている。デスクトップパネル２７の下部には、着座位置Ｔ毎に、電源コードや通信ケーブル等の配線を接続する配線接続部２７ｂが設けられている。また、デスクトップパネル２７の下部には、後述する空調ファン１４のＯＮ・ＯＦＦおよび回転数を切り替える空調スイッチ２７ｃが取り付けられている。
【００２８】
デスクトップパネル２７は、天板付什器１０における天板２１よりも上方に配設される上部構造体２８を構成している。デスクトップパネル２７（上部構造体２８）は、第二中間脚２５（下部構造体２６）と上下方向で連なるように設けられている。
【００２９】
第二中間脚２５は、下端部が床面Ｆ上の規定位置に載置されて固定されるとともに、上端部がビーム２４の対応部位に連結されて固定されている。
図１０を併せて参照し、第二中間脚２５の台座２５ｃは、例えば単一の単位床パネルｆｐａに載置されて固定されている。この単位床パネルｆｐａには、床下の空間部Ｋ（床下チャンバー）内に連通する開口ｈ１が形成されている。執務室の冷暖房時において、床下の空間部Ｋ内には、例えば下層階または屋外等に設置された室内用の空調機（不図示）から調和空気Ａが正圧状態で供給されている。すなわち、天板付什器１０が配設される部屋Ｒでは、冷房用または暖房用の調和空気Ａが、二重床の空間部Ｋを通じて室内に供給される、床吹出し空調システムが構成されている。
【００３０】
図２、図３を参照し、天板付什器１０は、床下を流れる調和空気Ａを、各使用者Ｐに好みの形態で供給可能とすることで、使用者Ｐ毎に最適な空調環境を提供可能な空調デスクとされている。
第二中間脚２５およびテスクトップパネル２７の内部には、上下方向で第二中間脚２５およびテスクトップパネル２７の両内部に渡るように、前記供給ダクト１１が構成されている。供給ダクト１１は、第二中間脚２５およびデスクトップパネル２７を利用して構成されている。
【００３１】
供給ダクト１１は、床面Ｆの開口ｈ１を通じて床下内の調和空気Ａを吸入し、この調和空気Ａを各着座位置Ｔに個別に供給可能としている。供給ダクト１１は、各着座位置Ｔの奥側で上下に延びて配置されており、着座者Ｐの足元スペースへの影響を抑えている。供給ダクト１１は、下側（床下側）を上流側とし、上側を下流側としている。供給ダクト１１は、各着座位置Ｔの奥側から、各単位天板２１ａの上下の空間（平面視で単位天板２１ａと重なる範囲の空間）に向けて、調和空気Ａを供給可能としている。
【００３２】
供給ダクト１１は、ビーム２４の下方位置から天板下方の空間２１ｋ１（平面視で天板２１と重なる範囲でかつ天板２１よりも下方の空間）に向けて調和空気Ａを供給可能な下部供給口１２を備えている。また、供給ダクト１１は、デスクトップパネル２７の上端位置（概ね着座者Ｐの頭部高さ）から天板上方の空間２１ｋ２（平面視で天板２１と重なる範囲でかつ例えばデスクトップパネル２７の上端よりも低位置の空間）に向けて調和空気Ａを供給可能な上部供給口１３を備えている。
【００３３】
下部供給口１２および上部供給口１３の各々には、調和空気Ａを水平方向または下向きの傾斜方向に向けて導く状態と、調和空気Ａを上方に向けて導く状態と、の間で状態を変化させる調節部材１１ｃ（後述する開閉部材１９、吹出しフィン３８）が設けられている。調節部材１１ｃは、下部供給口１２から天板下方の空間２１ｋ１に向けて調和空気Ａを供給し、上部供給口１３から天板上方の空間２１ｋ２への調和空気Ａの供給は相対的に減らした第一態様と、上部供給口１３から天板上方の空間２１ｋ２に向けて調和空気Ａを供給し、下部供給口１２から天板下方の空間２１ｋ１への調和空気Ａの供給は相対的に減らした第二態様と、の間で調節可能である。
【００３４】
ビーム２４の下方において、供給ダクト１１は、第二中間脚２５と、空調ファン１４と、セパレータ１５と、下部供給口１２と、を備えている。
【００３５】
空調ファン１４は、幅方向に並ぶ第一空調ファン１４ａおよび第二空調ファン１４ｂを備えている。空調ファン１４は、奥行方向で対向する一対の着座位置Ｔに向けて、それぞれ調和空気Ａを供給する。空調ファン１４は、軸方向を上下方向に向けた軸流ファンであり、電力供給により作動し、床下内の調和空気Ａを供給ダクト１１内（上方）に向けて吸引する。空調ファン１４の下方には、空調ファン１４の作動時には風圧で開き、空調ファン１４の停止時には自重で閉じる開閉弁１４ｃが設けられている。
【００３６】
図９を併せて参照し、セパレータ１５は、奥行方向と直交する板状をなし、第二中間脚２５内の奥行方向の中間位置に配置されている。セパレータ１５は、幅方向の両側部が第二中間脚２５の幅方向の両側壁にそれぞれ固定されている。セパレータ１５は、第二中間脚２５の内部空間を奥行方向で区画し、第二中間脚２５内に第一下部流路１５ａおよび第二下部流路１５ｂを形成している。セパレータ１５の下部には、第一空調ファン１４ａに対応する第一フード１５ｃ、および第二空調ファン１４ｂに対応する第二フード１５ｄがそれぞれ形成されている。
【００３７】
各フードは、対応する空調ファン１４に向けて、対応する下部流路を奥行方向で末広がりとするように形成されている。空調ファン１４が吸引した調和空気Ａは、対応するフードを介して、対応する下部流路内に導入される。空調ファン１４は、回転数を切換えることにより、床下の空間部Ｋから対応する下部流路内に導入する調和空気Ａの吸引量を調節する。すなわち、空調ファン１４は、供給ダクト１１からの調和空気Ａの供給量（風量、吹出し量）を調節する手段でもある。
【００３８】
図２、図３を参照し、下部供給口１２は、第二中間脚２５の第一側壁２５ａおよび第二側壁２５ｂの上部にそれぞれ形成される第一下部供給口１２ａおよび第二下部供給口１２ｂを備えている。第一下部供給口１２ａは、第一下部流路１５ａの上部を、奥行方向で同側の天板下方の空間２１ｋ１に向けて開口させる。第二下部供給口１２ｂは、第二下部流路１５ｂの上部を、奥行方向で同側の天板下方の空間２１ｋ１に向けて開口させる。
【００３９】
下部供給口１２は、例えば上下方向に延びる複数のスリット状の開口１８ａを形成する開口部材１８と、開口部材１８の開口１８ａを開閉させる開閉部材１９と、を備えている。開口部材１８および開閉部材１９は、奥行方向と直交する板状をなし、開口部材１８に開閉部材１９がダクト内側から重なるように設けられている。開口部材１８のダクト外側の中央部には、開閉部材１９を作動させるためのダイヤル１９ａが配置されている。開閉部材１９は、ダイヤル１９ａの操作により回動し、開口部材１８の開口１８ａを全開にした開状態と、開口部材１８の開口１８ａを全閉にした閉状態と、に切り替わる。開閉部材１９の開状態は、下部供給口１２が調和空気Ａを水平方向に向けて導く状態であり、前記第一態様で取り得る状態である。開閉部材１９の閉状態は、下部供給口１２が調和空気Ａを上方に向けて導く状態であり、前記第二態様で取り得る状態である。
【００４０】
開閉部材１９は、ダイヤル１９ａの操作量に応じて、開口部材１８の開口面積の大きさを調節可能である。開閉部材１９は、開状態および閉状態の他、開状態と閉状態との間の半開状態とすることが可能である。下部供給口１２は、開閉状態の変化により、適宜開口面積の大きさ（換言すれば下部供給口１２の空気供給量）を調節可能である。
【００４１】
ビーム２４は、第二中間脚２５の奥行方向の両側壁２５ａ，２５ｂとそれぞれ面一状の側壁２４ａを有して幅方向に延びている。ビーム２４の両側壁２４ａの下端部には、それぞれビーム２４の内側に向けて屈曲する下壁２４ｂが形成されている。各下壁２４ｂは、ビーム２４の剛性を確保するとともに配線受けとなり、かつ各下部流路の上端部で流路断面積を狭める段差面を形成している。
【００４２】
供給ダクト１１は、ビーム２４の内部を中空の角柱状をなして上下に延びる中段ダクト１６を備えている。中段ダクト１６は、幅方向では第二中間脚２５と同一の幅を有し、奥行方向では第二中間脚２５よりも狭い幅を有している。中段ダクト１６の奥行方向の外側には、前記配線受け空間ｋ１が形成されている。
【００４３】
中段ダクト１６の内部には、セパレータ１５の上方に連なる中段セパレータ１７が配置されている。中段セパレータ１７は、中段ダクト１６の内部空間を奥行方向で区画し、中段ダクト１６内に第一中段流路１７ａおよび第二中段流路１７ｂを形成している。第一中段流路１７ａは、第一下部流路１５ａの上方に流路断面積を狭めて連なり、第二中段流路１７ｂは、第二下部流路１５ｂの上方に流路断面積を狭めて連なっている。
【００４４】
ビーム２４の上方に位置するデスクトップパネル２７は、幅方向に並ぶ着座位置Ｔ毎に設けられる枠状のパネルフレーム３１と、パネルフレーム３１を奥行方向で挟み込む一対のパネル本体３２と、を備えている。
パネルフレーム３１は、幅方向の両端部で上下方向に延びる一対の側部フレーム３１ａと、一対の側部フレーム３１ａの上部間および下部間をそれぞれ連結するべく幅方向に延びる上部フレーム３１ｂおよび下部フレーム３１ｃと、を備えている。下部フレーム３１ｃには、前記配線接続部２７ｂおよび空調スイッチ２７ｃが取り付けられている。
【００４５】
デスクトップパネル２７の下部の内部には、中段ダクト１６および中段セパレータ１７を上方に延長したダクト延長部１７ｃが配置されている。ダクト延長部１７ｃは、幅方向では中段ダクト１６と同一の幅を有し、奥行方向では中段ダクト１６よりも狭い幅を有している。ダクト延長部１７ｃは、下部フレーム３１ｃを上方へ貫通し、パネルフレーム３１の内側で両パネル本体３２に挟まれて形成されたパネル内空間ｋ２に上端開口１７ｄを臨ませている。デスクトップパネル２７と中段ダクト１６とは、奥行方向の幅が略同一であり、下部フレーム３１ｃを貫通するダクト延長部１７ｃは、中段ダクト１６に対して奥行方向の幅を狭めている。
【００４６】
デスクトップパネル２７の内部には、中段セパレータ１７の上方に連なる上部セパレータ３３が配置されている。上部セパレータ３３は、パネル内空間ｋ２を奥行方向で区画し、デスクトップパネル２７内に第一上部流路３３ａおよび第二上部流路３３ｂを形成している。各上部流路は、各中段流路に対して奥行方向の幅を広げている。第一上部流路３３ａは、第一中段流路１７ａの上方に流路断面積を広げて連なり、第二上部流路３３ｂは、第二中段流路１７ｂの上方に流路断面積を広げて連なっている。
【００４７】
各上部流路には、ダクト延長部１７ｃの上端開口１７ｄからデスクトップパネル２７上端の上部供給口１３に向けて、上側ほど幅方向に末広がりに傾斜したガイド部材３４が設けられている。ガイド部材３４は、上部流路の幅方向の幅を上側ほど広げて配置されている。ガイド部材３４は、デスクトップパネル２７の幅方向の中央位置にあるダクト延長部１７ｃの上端開口１７ｄから、デスクトップパネル２７の上端部に延在する上部供給口１３に向けて、パネル内空間ｋ２内に導入された調和空気Ａを幅方向に広げながら上昇させる。これにより、デスクトップパネル２７の上端部の広範囲から調和空気Ａを吹出し可能である。
【００４８】
図６〜図８を併せて参照し、デスクトップパネル２７の上部フレーム３１ｂには、デスクトップパネル２７の幅方向の全幅に渡って延びる上部吹出し装置３５が取り付けられている。上部吹出し装置３５は、上部フレーム３１ｂに固定されてデスクトップパネル２７の上端部に上部供給口１３を形成する吹出しフレーム３６と、吹出しフレーム３６に角度調節可能に取り付けられて上部供給口１３から吹出す調和空気Ａの吹出し方向等を可変させる吹出しフィン３８と、を備えている。
【００４９】
吹出しフレーム３６は、両パネル本体３２とそれぞれ面一状の側壁を有して幅方向に延びている。吹出しフレーム３６の上端部には、上方に向けて開口する上部供給口１３が形成されている。吹出しフレーム３６の内部には、上部セパレータ３３の上方に連なるフレーム内セパレータ３７が配置されている。フレーム内セパレータ３７は、吹出しフレーム３６の内部空間を奥行方向で区画し、吹出しフレーム３６内に第一フレーム内流路３７ａおよび第二フレーム内流路３７ｂを形成している。第一フレーム内流路３７ａは第一上部流路３３ａの上方に連なり、第二フレーム内流路３７ｂは第二上部流路３３ｂの上方に連なっている。
【００５０】
上部供給口１３は、フレーム内セパレータ３７によって、奥行方向で並ぶ第一上部供給口１３ａおよび第二上部供給口１３ｂに区画されている。第一上部供給口１３ａは、第一フレーム内流路３７ａの上端開口であり、第二上部供給口１３ｂは、第二フレーム内流路３７ｂの上端開口である。
【００５１】
吹出しフィン３８は、第一上部供給口１３ａに対応する第一吹出しフィン３８ａと、第二上部供給口１３ｂに対応する第二吹出しフィン３８ｂと、を備えている。
フレーム内セパレータ３７は、上部供給口１３よりも上方へ延びる上方延出部３７ｃを形成している。上方延出部３７ｃの奥行方向の両側には、幅方向に沿う回動軸３８ｃを介して、第一吹出しフィン３８ａおよび第二吹出しフィン３８ｂがそれぞれ支持されている。
【００５２】
吹出しフィン３８は、回動軸３８ｃに支持される基部３９ａと、基部３９ａに対して幅方向視で屈曲して連なる回動部３９ｂと、を備えている。
吹出しフィン３８は、基部３９ａを略水平にするとともに、回動部３９ｂを奥行方向で対応する単位天板２１ａ側に位置するほど下方に位置するように傾斜させた側方誘導状態となり得る（図６参照）。このとき、上部供給口１３から上方に吹出した調和空気Ａは、側方誘導状態の吹出しフィン３８の回動部３９ｂの傾斜に沿って、対応する単位天板２１ａ側かつ下方へ案内される。このように案内された調和空気Ａは、対応する単位天板２１ａを向く使用者Ｐに至る前に天板上面に達し、天板上面に沿って緩やかに使用者Ｐの腹部近傍に供給される（図３に実線矢印Ａで示す）。この側方誘導状態は暖房時に好適である。
【００５３】
吹出しフィン３８は、側方誘導状態からさらに回動し、基部３９ａを奥行方向で対応する単位天板２１ａ側に位置するほど上方に位置するように傾斜させるとともに、回動部３９ｂを略水平にした第二側方誘導状態となり得る（図７参照）。このとき、上部供給口１３から上方に吹出した調和空気Ａは、第二側方誘導状態の吹出しフィン３８の回動部３９ｂに沿って、対応する単位天板２１ａ側へ略水平に案内される。詳しくは、調和空気Ａは、吹出しフィン３８の回動部３９ｂを離れる際に若干上向きに傾斜し、その後、緩やかに下向きに変化しながら流れる。このように案内された調和空気Ａは、対応する単位天板２１ａを向く使用者Ｐの顔付近に対して、僅かな気流をもって供給される（図３に鎖線矢印Ａで示す）。この第二側方誘導状態は冷房時に好適である。すなわち、冷房時に腹部冷却を避けたい場合等において、状況に合わせて吹出しフィン３８の状態を変更することで、使用者Ｐに対してより効果的な空調となる。
【００５４】
吹出しフィン３８は、回動部３９ｂを吹出しフレーム３６の側壁外面に当接させるとともに、基部３９ａを奥行方向で対応する単位天板２１ａと反対側に位置するほど上方に位置するように傾斜させた上方誘導状態となり得る（図８参照）。このとき、上部吹出し口から上方に吹出した調和空気Ａは、対応する単位天板２１ａ側には案内されず、基部３９ａとフレーム内セパレータ３７の上方延出部３７ｃとの間に形成された間隙より上方に向けて吹出される。前記間隙より上方へ吹出す調和空気Ａは、対応する単位天板２１ａの上方の空間２１ｋ２を避けて上方に案内され、単位天板２１ａに対向した使用者Ｐに直接供給されることはない。
【００５５】
吹出しフィン３８の側方誘導状態および第二側方誘導状態は、上部供給口１３が調和空気Ａを水平方向または下向きの傾斜方向に向けて導く状態であり、前記第二態様で取り得る状態である。吹出しフィン３８の上方誘導状態は、供給ダクト１１が調和空気Ａを上方に向けて導く状態であり、前記第一態様で取り得る状態である。
【００５６】
このように、上部供給口１３からの調和空気Ａの供給を選択的に調節することで、個々の使用者Ｐの好みや体調等に応じて空調環境を調節することが可能である。
ここで、上部供給口１３（第一上部供給口１３ａおよび第二上部供給口１３ｂ）は、幅方向で略均等に三分割されている。吹出しフィン３８（第一吹出しフィン３８ａおよび第二吹出しフィン３８ｂ）は、上部供給口１３の分割に対応し、幅方向で略均等に三分割されている。これにより、個々の使用者Ｐに対する調和空気Ａの供給を、幅方向でも変化させることが可能である。
【００５７】
図４を参照し、夏季の冷房時には調和空気Ａが重いことから、吹出しフィン３８を第二側方誘導状態としてデスクトップパネル２７の上端位置から対応する単位天板２１ａ側へ調和空気Ａを吹出すと、この調和空気Ａが上向きに傾斜した状態から緩やかに下降し、使用者Ｐの顔付近に緩やかに供給される。一方、天板下方から調和空気Ａを吹出しても、この調和空気Ａが床面Ｆに下降することから、使用者Ｐの身体の近くに供給され難い。
したがって、特に冷房時には、上部供給口１３から対応する単位天板２１ａ側への調和空気Ａの供給量を増やし（吹出しフィン３８を側方誘導状態又は第二側方誘導状態とし）、下部供給口１２からの調和吸気の吹出し量は減らす又は無くす（開閉部材１９を半開状態又は閉状態とする）とよい。下部供給口１２からの調和吸気の吹出し量を減らす又は無くすと、多くの調和空気Ａが上部供給口１３に導かれるので、上部供給口１３からの調和空気Ａの吹出し量を増やすことができる。
このとき、設定温度が高めでも、顔付近への調和空気Ａの供給により、体感的に冷感を感じやすい。なお、吹出しフィン３８を側方誘導状態として調和空気Ａを吹出すと、調和空気Ａが天板上面に沿って使用者Ｐの腹部近傍に供給され、腹部を冷やすこととなる。
【００５８】
図５を参照し、冬季の暖房時には調和空気Ａが軽いことから、デスクトップパネル２７の上端位置から対応する単位天板２１ａ側へ調和空気Ａを吹出しても、この調和空気Ａが上昇して使用者Ｐの身体に供給され難い。一方、天板下方から調和空気Ａを吹出すと、この調和空気Ａが上昇して天板下面に至り、天板下面に沿って使用者Ｐの身体に緩やかに供給される。
したがって、特に暖房時には、上部供給口１３からの調和空気Ａの供給量を減らし（吹出しフィン３８を上方誘導状態とし）、下部供給口１２からの調和吸気の吹出し量は増やす（開閉部材１９を開状態とする）とよい。上部供給口１３からの調和吸気の吹出し量を減らすと、供給ダクト１１の内圧によって多くの調和空気Ａが下部供給口１２から吹出すので、下部供給口１２からの調和空気Ａの吹出し量を増やすことができる。
このとき、設定温度が低めでも、腹部近傍への調和空気Ａの供給により、体感的には温感を感じやすい。なお、吹出しフィン３８を側方誘導状態として調和空気Ａを吹出すと、調和空気Ａが天板上面に沿って使用者Ｐの腹部近傍に供給され、腹部を温めることとなる。
【００５９】
このように、着座位置Ｔ毎の空調の調節を可能とすることで、室内全体の温度設定を大きく上げたり下げたりすることなく、着座者Ｐ毎に適した空調環境を提供することができる。すなわち、冷感または温感を与える調和空気Ａを着座者Ｐ毎に個別に付与可能とし、かつ着座位置Ｔに新鮮空気を直接供給することができる。したがって、暑がりや寒がりといった使用者Ｐ毎の好みに対応しやすく、快適性を向上させるとともに、室温の好みの違う使用者Ｐを同一室内に共存しやすくし、さらに空調負荷を抑える（省エネ効果を得る）ことができる。
【００６０】
また、空調デスク毎に着座位置Ｔから調和空気Ａの吹出し量や吹出し方向等を調節可能とするので、使用者Ｐの好みに応じて容易に空調の操作および設定を可能とし、自己効力感を高めることができる。さらに、気流および対流の両方を利用して調和空気Ａを供給可能とするので、快適性をより向上させることができる。しかも、使用者Ｐの好みに応じた空調の実現により、知的生産性の向上を図ることができる。
【００６１】
また、本実施形態の天板付什器１０は、空調デスクを幅方向で複数連結してものであり、特に上部供給口１３においては、幅方向に連続した上部供給口１３を形成することができるため、使用者Ｐの座る場所を限定しないフレキシビリティをもった空調デスクとすることができる。
また、部屋Ｒの空調システムの一部に組み込まれる空調デスク（供給ダクト１１）であるため、床吹出し空調システムの空調機の負荷およびコスト増加を抑えることができる。
さらに、供給ダクト１１を連結する単位床パネルｆｐａの入れ替えにより供給ダクト１１を設置可能であるため、床吹出し空調システムの設備ダクトとの連結が不要（スタンドアローン）となり、オフィスレイアウトの変更等にも比較的容易に対応することができる。
【００６２】
以上説明したように、本実施形態の天板付什器１０は、床面Ｆ上の規定位置に設置され、床下から調和空気Ａが導入される供給ダクト１１と、天板２１を有し、供給ダクト１１と一体に構成される什器本体２０と、を備え、供給ダクト１１は、什器本体２０の天板２１よりも下方に位置し、天板下方の空間２１ｋ１に向けて調和空気Ａを供給可能な下部供給口１２と、什器本体２０の天板２１よりも上方に位置し、天板上方の空間２１ｋ２に向けて調和空気Ａを供給可能な上部供給口１３と、下部供給口１２から天板下方の空間２１ｋ１に向けて調和空気Ａを供給し、上部供給口１３から天板上方の空間２１ｋ２への調和空気Ａの供給は相対的に減らした第一態様と、上部供給口１３から天板上方の空間２１ｋ２に向けて調和空気Ａを供給し、下部供給口１２から天板下方の空間２１ｋ１への調和空気Ａの供給は相対的に減らした第二態様と、に調節可能な調節部材１１ｃと、を備えている。
【００６３】
この構成によれば、天板２１に向き合う使用者Ｐに対し、空調を効率的に機能させることができる。すなわち、天板２１を挟んだ上下の空間において、上部供給口１３および下部供給口１２の各々から冷暖房の調和空気Ａを選択的に供給することで、使用者Ｐの好みや体調等に応じた空調環境とすることができる。したがって、低コストでありながら、什器の天板面に向かって作業を行う使用者Ｐに対して空調を効率的に機能させることができる天板付什器１０を提供することができる。
また、床面Ｆ上に設置される供給ダクト１１に床下から直接的に調和空気Ａが導入されるので、供給ダクト１１と設備空調とを別途のダクト等で連結することが不要であり、空調システムを簡素化するとともに什器レイアウトの自由度を高めることができる。
【００６４】
また、本実施形態の天板付什器１０において、調節部材１１ｃは、下部供給口１２に設けられ、天板下方の空間２１ｋ１に向けた調和空気Ａの供給量を調節する下部供給量調節部材（開閉部材１９）と、上部供給口１３に設けられ、天板上方の空間２１ｋ２に向けた調和空気Ａの供給量を調節する上部供給量調節部材（吹出しフィン３８）と、を備えている。
この構成によれば、上部供給口１３および下部供給口１２の各々から供給される調和空気Ａの供給量（風量、吹出し量）を、上部供給口１３および下部供給口１２の各々で個別に調節可能とすることで、使用者Ｐの好みや体調等に応じて個別に調節した空調環境とすることができる。
【００６５】
また、本実施形態の天板付什器１０において、上部供給量調節部材（吹出しフィン３８）は、上部供給口１３に至った調和空気Ａを、水平方向または水平方向よりも下向きの傾斜方向に向けて導いて天板上方の空間２１ｋ２へ供給する側方誘導状態と、側方誘導状態よりも天板上方の空間２１ｋ２への調和空気Ａの供給量を減らすとともに、上部供給口１３に至った調和空気Ａの一部または全部を、天板上方の空間２１ｋ２を避けてダクト上方に向けて導く上方誘導状態と、の間で作動する。
この構成によれば、上部供給口１３から供給される調和空気Ａを使用者Ｐが欲しているときは、上部供給量調節部材を側方誘導状態とし、調和空気Ａを水平方向または下向きの傾斜方向に導いて天板上方の空間２１ｋ２に供給することで、使用者Ｐに対して直接的に調和空気Ａを供給することができる。
また、上部供給口１３から供給される調和空気Ａを使用者Ｐが欲していないときは、上部供給量調節部材を上方誘導状態とし、調和空気Ａを天板上方の空間２１ｋ２を避けてダクト上方に導くことで、調和空気Ａを室内空間全体の温度調節に供することができる。
【００６６】
また、本実施形態の天板付什器１０において、上部供給量調節部材（吹出しフィン３８）は、側方誘導状態にあるときの調和空気Ａの風量よりも、上方誘導状態にあるときの調和空気Ａの風量を減らす。
この構成によれば、例えば、下部供給口１２から供給される調和空気Ａを使用者Ｐが欲するときは、上部供給量調節部材を上方誘導状態とし、上部供給口１３からの調和空気Ａの風量を減少させることで、下部供給口１２からの調和空気Ａの供給量を増加させることができる。
また、上部供給口１３から供給される調和空気Ａを使用者Ｐが欲するときは、上部供給量調節部材を側方誘導状態とし、上部供給口１３からの調和空気Ａの供給量を増加させることで、上部供給口１３から多くの調和空気Ａを使用者Ｐに供給することができる。
【００６７】
また、本実施形態の天板付什器１０において、下部供給量調節部材（開閉部材１９）は、下部供給口１２の開口面積を調節する。
この構成によれば、下部供給口１２から供給される調和空気Ａを使用者Ｐが欲するときは、下部供給口１２の開口面積を広げることで、下部供給口１２からの調和空気Ａの供給量を増加させることができる。
また、下部供給口１２から供給される調和空気Ａを使用者Ｐが欲していないときは、下部供給口１２の開口面積を狭めることで、下部供給口１２からの調和空気Ａの供給量を減少させることができる。
特に、上部供給口１３の調和空気Ａの供給量を増減させる構成を有していれば、上部供給口１３の風量の増減と下部供給口１２の開口面積の増減とを連係させることで、より明確に下部供給口１２からの調和空気Ａの供給量を増減させることができる。
【００６８】
また、本実施形態の天板付什器１０において、天板２１よりも下方に配設される下部構造体２６（第二中間脚２５）と、天板２１よりも上方に配設される上部構造体２８（デスクトップパネル２７）と、を備え、上部構造体２８および下部構造体２６は、上下方向で互いに連なるように設けられ、供給ダクト１１は、上部構造体２８および下部構造体２６の両内部に渡って設けられている。
この構成によれば、上下に連なる上部構造体２８および下部構造体２６の両内部に渡って供給ダクト１１が設けられているので、供給ダクト１１の構造体としての構成を上部構造体２８および下部構造体２６で担うことができ、構造を簡易化して製造コストの削減を図ることができる。
【００６９】
また、本実施形態の天板付什器１０において、上部構造体２８および下部構造体２６は、当該天板付什器１０の奥行方向の中間位置に配設され、天板２１は、奥行方向で上部構造体２８および下部構造体２６の両側に配設された第一天板２１ａ１および第二天板２１ａ２を備え、上部供給口１３は、奥行方向両側の各々で天板上方の空間２１ｋ２に向けて調和空気Ａを供給する第一上部供給口１３ａおよび第二上部供給口１３ｂを備え、下部供給口１２は、奥行方向両側の各々で天板下方の空間２１ｋ１に向けて調和空気Ａを供給する第一下部供給口１２ａおよび第二下部供給口１２ｂを備えている。
この構成によれば、奥行方向両側の第一天板２１ａ１および第二天板２１ａ２にそれぞれ向き合う両使用者Ｐに対し、それぞれ個別に調節した空調環境を提供可能とし、空調を効率的に機能させることができる。
【００７０】
また、本実施形態の天板付什器１０において、上部構造体２８は、第一天板２１ａ１および第二天板２１ａ２の間を区画する間仕切り部材とされている。
この構成によれば、奥行方向両側の第一天板２１ａ１および第二天板２１ａ２にそれぞれ向き合う両使用者Ｐに対し、それぞれ個別に調節した空調環境が互いに影響し合うことを抑止し、空調を効率的に機能させることができる。
【００７１】
＜第二実施形態＞
次に、本発明の第二実施形態について、図１１を参照して説明する。
この実施形態の天板付什器５０および什器システム１５０は、前記第一実施形態の天板付什器１０が供給ダクト１１の奥行方向の両側にそれぞれ単位天板２１ａを備える対面式のデスクであるのに対して、供給ダクト５１の奥行方向の一側のみに天板２１を備えるデスクである点で特に異なる。その他の、前記実施形態と同一構成には同一符号を付して詳細説明は省略する。
【００７２】
天板付什器５０は、床面Ｆ上の規定位置に設置され、床下を流れる調和空気Ａが導入される供給ダクト５１と、天板２１を有し、供給ダクト５１と一体に構成される什器本体５２と、を備えている。
天板付什器５０は、天板２１の奥側で幅方向の中間位置に配置される中間脚５５を備えている。中間脚５５は、天板付什器５０における天板２１よりも下方に配設される下部構造体２６を構成している。
天板付什器５０は、天板２１の奥側の上方に起立するデスクトップパネル２７を備えている。デスクトップパネル２７は、天板付什器５０における天板２１よりも上方に配設される上部構造体２８を構成している。デスクトップパネル２７（上部構造体２８）は、中間脚５５（下部構造体２６）と上下方向で連なるように設けられている。
【００７３】
中間脚５５およびテスクトップパネル２７の内部には、上下方向で中間脚５５およびテスクトップパネル２７の両内部に渡るように、供給ダクト５１が形成されている。
供給ダクト５１は、天板２１に対する着座位置Ｔの奥側から、天板２１の上下の空間（平面視で天板２１と重なる範囲の空間）に調和空気Ａを供給可能である。
供給ダクト５１は、ビーム２４の下方位置から天板下方の空間２１ｋ１に向けて調和空気Ａを供給可能な下部供給口１２を備えている。また、供給ダクト５１は、デスクトップパネル２７の上端位置（概ね着座者Ｐの頭部高さ）から天板上方の空間２１ｋ２に向けて調和空気Ａを供給可能な上部供給口１３を備えている。
【００７４】
以上説明した本実施形態の天板付什器５０においても、天板２１に向き合う使用者Ｐに対し、空調を効率的に機能させることができる。すなわち、天板２１を挟んだ上下の空間において、上部供給口１３および下部供給口１２の各々から冷暖房の調和空気Ａを選択的に供給することで、使用者Ｐの好みや体調等に応じた空調環境とすることができる。したがって、低コストでありながら、什器の天板面に向かって作業を行う使用者Ｐに対して空調を効率的に機能させることができる天板付什器５０を提供することができる。
【００７５】
＜第三実施形態＞
次に、本発明の第三実施形態について、図１２を参照して説明する。
この実施形態では、供給ダクト６１が天板付什器６０と一体化されずに別体とされ、これら供給ダクト６１および天板付什器６０を組み合わせて配置した什器システム１６０を示している。
【００７６】
すなわち、本実施形態の什器システム１６０は、床面Ｆ上の規定位置に設置され、床下から調和空気Ａが導入される供給ダクト６１と、天板２１を有し、供給ダクト６１とともに床面Ｆ上に配置される天板付什器６０と、を備え、供給ダクト６１は、天板付什器６０の天板２１よりも下方に位置し、天板下方の空間２１ｋ１に向けて調和空気Ａを供給可能な下部供給口１２と、天板付什器６０の天板２１よりも上方に位置し、天板上方の空間２１ｋ２に向けて調和空気Ａを供給可能な上部供給口１３と、下部供給口１２から天板下方の空間２１ｋ１に向けて調和空気Ａを供給し、上部供給口１３から天板上方の空間２１ｋ２への調和空気Ａの供給は相対的に減らした第一態様と、上部供給口１３から天板上方の空間２１ｋ２に向けて調和空気Ａを供給し、下部供給口１２から天板下方の空間２１ｋ１への調和空気Ａの供給は相対的に減らした第二態様と、に調節可能な調節部材１１ｃと、を備えている。
【００７７】
この構成においても、天板２１に向き合う使用者Ｐに対し、空調を効率的に機能させることができる。すなわち、天板２１を挟んだ上下の空間において、上部供給口１３および下部供給口１２の各々から冷暖房の調和空気Ａを選択的に供給することで、使用者Ｐの好みや体調等に応じた空調環境とすることができる。したがって、低コストでありながら、什器の天板面に向かって作業を行う使用者Ｐに対して空調を効率的に機能させることができる什器システム１６０を提供することができる。
【００７８】
なお、本発明は上記実施形態に限られるものではなく、例えば、上記実施形態では、天板付き什器としてデスク装置を例示したが、デスク以外に例えばテーブル、作業台およびカウンター等であってもよい。
天板下方に、奥行方向で対向する着座空間を仕切る幕板（第一天板および第二天板の間を区画する間仕切り部材）を備えてもよい。
上部供給口の吹出しフィンおよび下部供給口の開閉部材は、それぞれ個別に手動で作動させるが、風量および風温等のセンサを組み合わせて調節部材を自動で作動させる構成としてもよい。
室内空調の調和空気が床下から供給される供給ダクトに限らず、例えば天井から調和空気が供給されたり屋内に設置した空調機から調和空気が供給される等、床下以外から室内空調の調和空気が供給される供給ダクトを備えてもよい。
そして、上記実施形態における構成は本発明の一例であり、当該発明の要旨を逸脱しない範囲で種々の変更が可能である。
【符号の説明】
【００７９】
１０，５０，６０  天板付什器
１１，５１，６１  供給ダクト
１１ｃ  調節部材
１２  下部供給口
１２ａ  第一下部供給口
１２ｂ  第二下部供給口
１３  上部供給口
１３ａ  第一上部供給口
１３ｂ  第二上部供給口
１９  開閉部材（下部供給量調節部材）
２１  天板
２１ａ  単位天板
２１ａ１  第一天板
２１ａ２  第二天板
２１ｋ１  天板下方の空間
２１ｋ２  天板上方の空間
２５  第二中間脚
２６  下部構造体
２７  デスクトップパネル
２８  上部構造体
３４  ガイド部材
３８  吹出しフィン（上部供給量調節部材）
３８ａ  第一吹出しフィン
３８ｂ  第二吹出しフィン
１００，１５０，１６０  什器システム
Ａ  調和空気
Ｆ  床面
ｆｐ  床パネル
ｆｐａ  単位床パネル
Ｔ  着座位置
Ｔ１  第一着座位置
Ｔ２  第二着座位置
【図１】
2019000330.tif 000003
【図２】
2019000330.tif 000004
【図３】
2019000330.tif 000005
【図４】
2019000330.tif 000006
【図５】
2019000330.tif 000007
【図６】
2019000330.tif 000008
【図７】
2019000330.tif 000009
【図８】
2019000330.tif 000010
【図９】
2019000330.tif 000011
【図１０】
2019000330.tif 000012
【図１１】
2019000330.tif 000013
【図１２】
2019000330.tif 000014